(57)【要約】  本発明は：−  第１及び第２の向かい合った前面（１１、１２）と；−  位置決め辺（１３０）を含む外側辺部分（１３）とを有する、平面本体（１０）を含む、アイライナーのウィング（Ｖ）を目尻に塗布するのに好適な型紙（１）であって、位置決め辺（１３０）は、アイライナー用の受け入れ空間（１４０）を規定する切欠き部（１４）を含み、前記切欠き部（１４）は、位置決め辺（１３０）に接続される第１の端部と、第２の対向端部とを有する第１のセグメント（１４１）を含み、位置決め辺（１３０）は、顔の正中線（Ｍ）に対して平行に配置されるように構成されており、及び第１のセグメント（１４１）は、位置決め辺（１３０）と、９５°〜１４５°、好ましくは１１０°〜１３０°の、特に１２０°に近い角度（α）を形成する、型紙（１）に関する。
2021527540.tif 000002
【特許請求の範囲】
【請求項１】
目尻にアイライナーのウィング（Ｖ、Ｖ’）を形成するためにアイライナーを塗布するのに好適な型紙（１）であって、前記型紙（１）は、実質的に平面の本体（１０）を含み、及び：
−  第１の前面（１１）；
−  前記第１の前面（１１）に向かい合った第２の前面（１２）；
−  前記第１の前面（１１）と第２の前面（１２）を接続し、且つ位置決め辺（１３０）を含む、外側辺部分（１３）
を有する、型紙において、
前記位置決め辺（１３０）は、位置決め軸（Ｘ）に沿って延在する、実質的に直線であり、且つ前記第１及び第２の前面（１１、１２）と前記位置決め辺（１３０）とに開口し且つ前記アイライナー用の受け入れ空間（１４０）を規定する切欠き部（１４）を含み、前記切欠き部（１４）は、前記位置決め辺（１３０）に接続される第１の端部と、第２の対向端部とを有する第１のセグメント（１４１）を含むこと、
前記位置決め辺（１３０）は、顔の正中線（Ｍ）に対して平行に配置されるように構成されていること、及び
前記第１のセグメント（１４１）は、前記位置決め辺（１３０）と、９５°〜１４５°、好ましくは１１０°〜１３０°の、特に１２０°に近い角度（α）を形成することを特徴とする、型紙。
【請求項２】
前記切欠き部（１４）は、前記位置決め辺（１３０）に接続される第１の端部と、前記第１のセグメント（１４１）の前記第２の端部に接続される第２の対向端部とを有する第２のセグメント（１４２）を含み、及び
前記第１のセグメント（１４１）の前記第１の端部と前記第２のセグメント（１４２）の前記第１の端部とは、前記位置決め軸（Ｘ）に沿って測定された距離（ｄ）だけ分離されており、前記距離（ｄ）は、特に、３ｍｍ〜６ｍｍ、好ましくは４ｍｍ〜５ｍｍであり、特に４．５ｍｍに近い、請求項１に記載の型紙（１）。
【請求項３】
前記切欠き部（１４）の前記第１のセグメント（１４１）及び／又は第２のセグメント（１４２）は、実質的に直線である、請求項１又は２に記載の型紙（１）。
【請求項４】
前記第２のセグメント（１４２）は、前記第１のセグメント（１４１）と、５°〜３５°、好ましくは１０°〜３０°の、特に２０°に近い角度（β）を形成する、請求項２又は３に記載の型紙（１）。
【請求項５】
前記外側辺部分（１３）は、好ましくは角が丸みを帯びた三角形の輪郭を有する、請求項１〜４のいずれか１項に記載の型紙（１）。
【請求項６】
前記型紙（１）は、好都合には０．５ＭＰａ〜５ＭＰａ、好ましくは０．７ＭＰａ〜３ＭＰａの、特に１．３ＭＰａに近いヤング率を有する、可塑性材料、特に熱可塑性材料、例えばポリプロピレン（ＰＰ）、ポリエチレン（ＰＥ）、ポリエチレンテレフタレート（ＰＥＴ）、アクリロニトリルブタジエンスチレン（ＡＢＳ）、ポリブチレンテレフタレート（ＰＢＴ）、ポリ塩化ビニル（ＰＶＣ）、ポリテトラフルオロエチレン（ＰＴＦＥ）、及び特にポリシクロヘキシレンジメチレンテレフタレート（ＰＣＴＡ）で作製されている、請求項１〜５のいずれか１項に記載の型紙（１）。
【請求項７】
前記切欠き部（１４）の前記第１のセグメント（１４１）及び／又は第２のセグメント（１４２）は、特に前記第１の前面（１１）と第２の前面（１２）とを分離する距離（ｅ）の２０％〜４０％であり、例えば３０％に近い突出距離（ｓ）だけ、前記本体（１０）の前記第１の前面（１１）及び／又は前記第２の前面（１２）から突出するシーリングリム（１４１１、１４１２；１４２１、１４２２）を有し、前記突出距離（ｓ）は、例えば０．１ｍｍ〜０．３ｍｍであり、特に０．２ｍｍに近く、前記シーリングリム（１４１１、１４１２、１４２１、１４２２）は、皮膚（Ｐ）を前記切欠き部（１４）の前記第１のセグメント（１４１）及び／又は前記第２のセグメント（１４２）に沿って局所的に変形させるように、前記皮膚（Ｐ）と接触するように配置されるように構成されている、請求項１〜６のいずれか１項に記載の型紙（１）。
【請求項８】
前記シーリングリム（１４１１、１４１２；１４２１、１４２２）は三角形の断面を有して、前記皮膚（Ｐ）を前記切欠き部（１４）の前記第１及び前記第２のセグメント（１４１、１４２）に沿って局所的に変形させるように、前記皮膚（Ｐ）と接触するように配置されるように構成されたシーリングリッジ（１４１３、１４１４；１４２３、１４２４）を形成するようにしている、請求項７に記載の型紙（１）。
【請求項９】
−  前記第１又は前記第２の前面（１１、１２）の一方を、化粧されるべき第１の目の目尻の近くに、前記顔と接触させて配置すること；
−  前記切欠き部（１４）の前記第１のセグメント（１４１）が前記位置決め辺（１３０）から上方に延在する状態で、前記顔の前記正中線（Ｍ）に対して平行に前記位置決め辺（１３０）を位置決めすること；
−  前記位置決め辺（１３０）に接続される前記切欠き部（１４）の前記第１のセグメント（１４１）の前記第１の端部を、化粧されるべき前記第１の目の前記目尻に配置すること；
−  前記切欠き部（１４）の前記第１のセグメント（１４１）を辿って、化粧されるべき前記第１の目の前記目尻にアイライナーのウィング（Ｖ、Ｖ’）を描くこと
にあるステップを含む、化粧されるべき前記第１の目の前記目尻にアイライナーのウィング（Ｖ、Ｖ’）の線描を生じさせるために、請求項１〜８のいずれか１項に記載の型紙（１）を使用する方法。
【請求項１０】
−  前記第１又は前記第２の前面（１１、１２）の他方を、化粧されるべき第２の目の目尻の近くに、前記顔と接触させて配置すること；
−  前記切欠き部（１４）の前記第１のセグメント（１４１）が前記位置決め辺（１３０）から上方に延在する状態で、前記顔の前記正中線（Ｍ）に対して平行に前記位置決め辺（１３０）を位置決めすること；
−  前記位置決め辺（１３０）に接続される前記切欠き部（１４）の前記第１のセグメント（１４１）の前記第１の端部を、化粧されるべき前記第２の目の前記目尻に配置すること；
−  前記切欠き部（１４）の前記第１のセグメント（１４１）を辿って、化粧されるべき前記第２の目の前記目尻にアイライナーのウィング（Ｖ、Ｖ’）を描くこと
にあるステップを含む、化粧されるべき前記第２の目の前記目尻にアイライナーのウィング（Ｖ、Ｖ’）の線描を生じさせるための、請求項９に記載の方法。
【請求項１１】
前記第１及び第２のセグメント（１４１、１４２）と前記位置決め辺（１３０）とによって規定された前記切欠き部（１４）の前記受け入れ空間（１４０）をアイライナーで埋めて、化粧されるべき前記第１及び／又は第２の目の前記目尻にアイライナーのウィング（Ｖ、Ｖ’）を形成するようにし、その形状は、前記切欠き部（１４）の前記受け入れ空間（１４０）の形状に対応することにある追加的なステップを含む、請求項２〜７のいずれか１項に記載の型紙（１）を用いる、請求項１０又は１１に記載の方法。
【請求項１２】
−  請求項１〜８のいずれか１項に記載の型紙（１）、及び
−  アイライナーの容器（３）を閉鎖するのに好適であり、且つ長手方向軸（Ｚ）に沿って延在するキャップ（２）
を含む、アセンブリであって、
前記型紙（１）は、前記キャップ（２）に固定されるしまい込み形態と、前記キャップ（２）から切り離される使用形態との間で動くことができる、アセンブリ。
【請求項１３】
前記キャップ（２）は、前記長手方向軸（Ｚ）に対して平行に延在し且つ前記型紙（１）の前記しまい込み形態においてレール（１３０、１１０、１２０）を形成する前記型紙（１）の少なくとも一部分を受け入れるのに好適な受溝（２００）を含む、請求項１２に記載のアセンブリ。
【請求項１４】
また、アイライナーの容器（３）、特に、アイライナーの貯留部（３０）と、特に多孔質材料及び／又は繊維性材料で作製され且つ前記貯留部（３０）と流体連通している塗布具先端（３１）とを含む、アイライナーペンの形態にある容器（３）を含む、請求項１２又は１３に記載のアセンブリ。
【発明の詳細な説明】
【技術分野】
【０００１】
本発明は、化粧品を塗布するための付属品であって、前記付属品は、実質的に平面の本体を含む、付属品の分野に関する。
【０００２】
より詳細には、第１の態様によれば、本発明は、目尻にアイライナーのウィングすなわち目尻上げラインを形成するようにアイライナーを塗布するのに好適な型紙であって、前記型紙は、実質的に平面の本体を含み、及び：
−  第１の前面；
−  第１の前面に向かい合った第２の前面；
−  第１の前面と第２の前面を接続し、且つ位置決め辺を含む、外側辺部分
を有する、型紙に関する。
【背景技術】
【０００３】
特許文献１には、そのような型紙によって、化粧されるべき目尻にアイライナーのウィングを描くこと、及びまぶたの睫毛の付け根にアイライナーのラインを描くことを、同時に生じることが可能になることが説明されている。
【０００４】
それゆえ、この特許文献１では、型紙は、化粧されるべきまぶたに型紙を位置決めするための辺を有する。位置決め辺は、使用者によって、化粧したい目尻に実質的に水平に置かれる必要がある。この位置決め辺は切欠き部を有し、この切欠き部は、アイライナーを受け入れるための空間を規定し、使用者が、ひとたび化粧されるべきまぶたに型紙が位置決めされたら、その一方の前面をまぶたに押し当てた状態で、化粧されるべき目尻にアイライナーのウィング、及びまぶたの睫毛の付け根にアイライナーのラインの双方を描くことができるようにする。この特許文献１による、化粧されるべき目尻に描かれるウィングに対応する型紙の切欠き部の部分は、まぶたの睫毛の付け根に描かれるアイライナーのラインに対応する型紙の切欠き部の部分と、ある角度を形成して、連通している。
【０００５】
それにもかかわらず、特許文献１による型紙は、特に直感的な使用、化粧されるべき目尻にアイライナーのウィングを描く精度、アイライナーの塗布毎に、化粧されるべき同じ目の目尻でのアイライナーのウィングの線描の再現性、或いは右目及び左目の目尻でのアイライナーのウィングの線描の対称性の点で、完全には満足のいくものではない。
【０００６】
これは、この特許文献１による型紙を用いて、アイライナーの塗布毎に、化粧されるべき目尻への位置決め辺の配置、及び同じ目のまぶたへの切欠き部の配置を繰り返すことが、特に、化粧されるべき目尻を通過する水平面における顔の湾曲に起因して、困難であるためであり、これにより、アイライナーの塗布毎に、化粧されるべき同じ目の目尻におけるアイライナーのウィングの線描に違いを生じてしまう。
【０００７】
同様に、この特許文献１による型紙を用いて、目を化粧するための同じ動作の最中に、右目及び左目の目尻に対称的に位置決め辺を並びに右目及び左目のまぶたに対称的に切欠き部を置くことが特に困難であり、これにより、右目の目尻に描かれたウィングと左目の目尻に描かれたウィングとの間に非対称性が生じがちである。
【０００８】
さらに、この特許文献１による型紙を用いて、化粧されるべき目尻に描かれるウィングに対応する切欠き部の部分の位置は、まぶたの睫毛の付け根に描かれるアイライナーのラインに対応する型紙の切欠き部の部分の位置に依存する。しかしながら、化粧されるべき目のまぶたの睫毛の付け根におけるアイライナーのラインの最も感じ良い線描は、化粧されるべき目尻におけるアイライナーのウィングの感じ良い線描に害を及ぼす／それと矛盾すると分かっているかもしれない。
【０００９】
最後に、この特許文献１による型紙を用いて、化粧されるべき目尻に描かれるウィングに対応する切欠き部の部分が、まぶたの睫毛の付け根に描かれるアイライナーのラインに対応する型紙の切欠き部の部分と連通していることに起因して、使用者は、化粧したい目にアイライナーを塗布するために、前記目を閉じざるを得ず、それにより、この化粧の動作をやりにくくし、且つアイライナーの塗布毎に繰り返すのを困難にする。
【先行技術文献】
【特許文献】
【００１０】
【特許文献１】国際公開第２０１４１２２６４０号パンフレット
【発明の概要】
【課題を解決するための手段】
【００１１】
第１の態様によれば、本発明は、これらの欠点の全て又はいくつかを克服することを目指し、及びこのために、上述のタイプの型紙であって、ここでは、位置決め辺は、位置決め軸に沿って延在する実質的に直線であり、且つ第１及び第２の前面と位置決め辺とに開口し且つアイライナー用の受け入れ空間を規定する切欠き部を含み、前記切欠き部は、位置決め辺に接続された第１の端部と、第２の対向端部とを有する第１のセグメントすなわち線分を含み、
位置決め辺は、顔の正中線に対して平行に配置されるように構成されており、及び
第１のセグメントは、位置決め辺と、９５°〜１４５°、好ましくは１１０°〜１３０°の、特に１２０°に近い角度を形成している、型紙を提案する。
【００１２】
第１のセグメントと位置決め辺との間に形成された角度は、位置決め辺から第１のセグメントの方へ向かって測定される。
【００１３】
位置決め辺は、好都合には、１５ｍｍ以上、特に２０ｍｍ以上、好ましくは２５ｍｍ以上の、例えば３５ｍｍに近い、位置決め軸に沿って測定された長さを有する。位置決め辺をそのように最小長にすることによって、使用者が、この位置決め辺を顔の正中線に対して平行に配置することによって、型紙を信頼性高く且つ正確に位置決めできるようになる。
【００１４】
人体解剖学の分野での一般的定義によれば、顔の正中線は、顔を２つの実質的に等しい部分、右と左に分ける、想像上の線に対応する。
【００１５】
これらの提供のおかげで、第１の態様によれば、本発明は、直感的な使用が良好で、アイライナーの塗布毎に、化粧されるべき同じ目の目尻でのアイライナーのウィングの線描の再現性が改善された状態で、化粧されるべき目尻にアイライナーのウィングの正確且つ最適な線描を、又は少なくとも感じが良くて魅力的な線描を生じさせることを可能にし、及び目尻へアイライナーの同じ塗布中に、右目及び左目の目尻でのアイライナーのウィングの線描に、より良好な対称性を得ることを可能にする、型紙を提案する。
【００１６】
実際、本発明の第１の態様による型紙を用いて、位置決め辺は、型紙が使用者の顔と接触されるとき、切欠き部の第１のセグメントの第１の端部が、アイライナーのウィングを描きたい目尻に隣接して位置決めされる状態で、顔の正中線に対して平行に配置されることが意図されている。それゆえ、使用者が、顔の正中線からなる参照線を有し、それに対して型紙の位置決め辺を簡単に位置決めし得るという事実によって、顔への型紙の位置決め辺を、一方の目から他方の目まで、正確で繰り返し可能で且つ対称的に配置することが、容易となる。
【００１７】
さらに、切欠き部の第１のセグメントと位置決め辺との間に形成された角度は、この第１のセグメントを辿ることによって、化粧されるべき目尻に感じが良くて魅力的なウィングを描くことを可能にする。
【００１８】
実際、プロフェッショナルなメイクアップアーティストの分野では、保持されているペンやブラシハンドルなどの直線の要素を使用して、化粧されるべき目尻と鼻のベースすなわち底（ｂａｓｅ）とをつなぐようにして、化粧されるべき目尻にアイライナーのウィングを描くための仮想的なガイドラインを形成することが知られている。これらのメイクアップの専門家の実践によれば、目尻におけるアイライナーのウィングの最適な、感じが良くて魅力的な線描は、この仮想線に従って、化粧されるべき目尻から線を描くことによって得られる。
【００１９】
変形例として、一部のプロフェッショナルなメイクアップアーティストは、化粧されるべき目尻にアイライナーのウィングを描くための仮想的なガイドラインとして、化粧されるべき目尻と、化粧されるべき目の側に位置する鼻翼とをつなぐ直線を取る。
【００２０】
それにもかかわらず、この実践は、ある程度の器用さを必要とするため、標準的な使用者にとってはやりにくくて繰り返すのが困難であることが判明している。
【００２１】
本発明の第１の態様のおかげで、使用者は、単純であり且つ直感的に使用できる型紙を有して、使用者が、一方の目から他方の目まで、信頼性高く、繰り返し可能に且つ対称的に、目尻にアイライナーのウィングを描くことができるようにし、このウィングは、位置決め辺が顔の正中線に対して平行であり、化粧されるべき目尻に隣接して切欠き部の第１のセグメントの第１の端部が位置決めされている状態で、型紙を保持することによって、及びアイライナー塗布具先端によってこの第１のセグメントに従って線を描くことによって、メイクアップの専門家によって推奨されるもののような、最適な、感じが良くて魅力的な向きを有する。
【００２２】
第１のセグメントと位置決め辺との間の角度が１１０°〜１３０°、特に１２０°に近い状態では、使用者が、型紙を、例えば本体の第１の前面によって、目尻の近くで使用者の皮膚に適用し、切欠き部の第１のセグメントが位置決め辺から上方に延在する状態で位置決め辺を顔の正中線に対して平行に向け、且つ切欠き部の第１のセグメントの第１の端部を目尻に配置するとき、第１のセグメントは、存在する様々な顔の形状を考慮して、鼻のベースの方に向かって、最適な向きになる。
【００２３】
第１のセグメントと位置決め辺との間の角度が１２０°〜１４０°、特に１３０°に近い状態では、使用者が、型紙を、例えば本体の第１の前面によって、目尻の近くで使用者の皮膚に適用し、切欠き部の第１のセグメントが位置決め辺から上方に延在する状態で位置決め辺を顔の正中線に対して平行に向け、且つ切欠き部の第１のセグメントの第１の端部を目尻に配置するとき、第１のセグメントは、存在する様々な顔の形状を考慮して、化粧されるべき目の側に位置する鼻翼の方へ向かって、最適な向きになる。
【００２４】
「上方に延在する」は、位置決め辺が顔の正中線に対して平行に延在する状態で型紙が皮膚に配置されるとき、切欠き部の第１のセグメントが顔の上部の方向に延在することを意味するものとする。
【００２５】
第１のセグメントと位置決め辺との間の２つの特定の角度について上記で説明したが、顔の正中線及びアイラインに対して異なる傾斜を有するウィングを得るために、９５°〜１４５°、及び好ましくは１１０°〜１３０°の範囲内にある、第１のセグメントと位置決め辺との間の角度の他の値も、本発明の文脈の中で考えられる。
【００２６】
他の好都合な態様によれば、本発明の第１の態様による型紙は、以下の特徴のうちの１つ以上を、別々に取り入れて、又はいずれかの技術的に可能な組み合わせで、含む：
−  切欠き部は、位置決め辺に接続された第１の端部と、第１のセグメントの第２の端部に接続される第２の対向端部とを有する第２のセグメントを含み、及び
第１のセグメントの第１の端部と第２のセグメントの第１の端部は、位置決め軸に沿って測定された距離だけ分離されており、前記距離は、特に３ｍｍ〜６ｍｍ、好ましくは４ｍｍ〜５ｍｍであり、特に４．５ｍｍに近い。これらの提供のおかげで、使用者は、第１及び第２のセグメントと位置決め辺とによって規定された切欠き部の受け入れ空間をアイライナーで埋めることによって、化粧されるべき目尻に、校正された幾何学的形状を有するウィングを使用者が作ることができるようにする型紙を有し、描かれたウィングの形状は、切欠き部の受け入れ空間の形状に対応する。
−  切欠き部の第１のセグメント及び／又は第２のセグメントは、実質的に直線である。それゆえ、化粧されるべき目尻に描かれたアイライナーのウィングは、明確に定められた三角形を有する。
−  第２のセグメントは、第１のセグメントと、５°〜３５°、好ましくは１０°〜３０°の、特に２０°に近い角度を形成する。これらの提供のおかげで、化粧されるべき目尻に描かれたアイライナーのウィングは、調和した最適な形状を有する。
−  外側辺部分は、好ましくは角が丸みを帯びた、三角形の輪郭を有する。換言すると、型紙、その本体は、実質的に平面的であり、好ましくは丸みを帯びた辺を備える、全体的に三角形を有する。型紙のそのような三角形は、型紙の直感的な使用を高めることを可能にする。さらに、そのような三角形は、型紙によって描かれ得るウィングの形状を再現することを可能にする。特に、型紙の外側辺部分の輪郭は、斜辺と、位置決め辺によって形成された長い辺と、短い辺とを含む非二等辺直角三角形を規定し得る。この場合、型紙は、好都合には、位置決め辺と、型紙の輪郭によって形成された三角形の斜辺とによって規定された矢印の形状を有し、この矢印は、型紙が、化粧されるべき目尻に配置されるときに顔の底部の方を指し、それにより、使用者が、位置決め辺が顔の正中線に対して平行な状態で、切欠き部の第１のセグメントが位置決め辺から上方に延在する状態で、型紙を使用者の顔で正しい向きにするのを助ける。
−  型紙は、好都合には、０．５ＭＰａ〜５ＭＰａ、好ましくは０．７ＭＰａ〜３ＭＰａの、特に１．３ＭＰａに近いヤング率を有する、可塑性材料、特に熱可塑性材料、例えばポリプロピレン（ＰＰ）、ポリエチレン（ＰＥ）、ポリエチレンテレフタレート（ＰＥＴ）、アクリロニトリルブタジエンスチレン（ＡＢＳ）、ポリブチレンテレフタレート（ＰＢＴ）、ポリ塩化ビニル（ＰＶＣ）、ポリテトラフルオロエチレン（ＰＴＦＥ）、及び特にポリシクロヘキシレンジメチレンテレフタレート（ＰＣＴＡ）で作製されている。そのような可塑性材料は、化粧されるべき目尻におけるそれぞれの顔の表面の凸凹及び特異性に適合するために、十分に可撓性がある一方で、使用者によって取り扱われることができ、且つ切欠き部の第１のセグメント、適切な場合には、第２のセグメントを辿って、化粧されるべき目尻での、アイライナーウィングの明確に定められた正確且つ繰り返し可能な線描を可能にする十分な堅さがある、型紙を得ることを可能にする。さらに、型紙を作るための可塑性材料の使用は、その製造コストを抑えることを可能にする。変形例として、型紙は、金属材料、例えば真鍮、鋼、アルミ、銅、鉄、ザマック（ｚａｍａｋ）などで作製され得る。
−  切欠き部の第１のセグメント及び／又は第２のセグメントは、特に第１の前面と第２の前面を分離する距離の２０％〜４０％であり、例えば３０％に近い突出距離だけ、本体の第１の前面及び／又は第２の前面から突出するシーリングリムを有し、前記突出距離は、例えば０．１ｍｍ〜０．３ｍｍであり、特に０．２ｍｍに近い。型紙の本体の第１の前面と第２の前面を分離する距離は、好都合には、型紙の厚さに対応する。好都合にも、第１の前面と第２の前面を分離する距離は０．０１ｍｍ〜１ｍｍであり、特に、化粧品、特にアイライナーの塗布具先端を、切欠き部内に正しく侵入できるようにして、その第１及び第２のセグメントを正確に辿ることができるようにする。突出距離は、第１及び／又は第２の前面に対して垂直に測定される。シーリングリムは、切欠き部の第１及び第２のセグメントに沿って皮膚を局所的に変形させるように、皮膚と接触するように配置されるように構成されている。これらの提供のおかげで、型紙がその第１又はその第２の前面によって使用者の顔と接触されるときの、第１及び第２のセグメントにおける皮膚と切欠き部との間の気密性が改善され、これは、切欠き部の受け入れ空間に塗布されたアイライナーが流れ出て、皮膚と、顔に接触する第１又は第２の前面との間ににじんでしまうリスク（これは、施された化粧の品質及び鮮明さ（ｄｅｆｉｎｉｔｉｏｎ）に害を及ぼすリスクがある）を抑えることを可能にする。
−  シーリングリムは三角形の断面を有して、切欠き部の第１及び第２のセグメントに沿って皮膚を局所的に変形させるために皮膚と接触するように配置されるように構成されたシーリングリッジを形成する。シーリングリムの断面のそのような三角形は、型紙がその第１又は第２の前面によって使用者の顔と接触されるときに、皮膚とシーリングリッジとの間に局所的な正圧が発生するため、第１及び第２のセグメントにおける皮膚と切欠き部との間の気密性をさらに高めることを可能にする。
【００２７】
本発明の第１の態様はまた：
−  第１又は第２の前面の一方を、化粧されるべき第１の目の目尻の近くに、顔と接触するように配置すること；
−  切欠き部の第１のセグメントが位置決め辺から上方に延在する状態で、前記位置決め辺を顔の正中線に対して平行に位置決めすること；
−  位置決め辺に接続された切欠き部の第１のセグメントの第１の端部を、化粧されるべき第１の目の目尻に配置すること；
−  切欠き部の第１のセグメントを辿って、化粧されるべき第１の目の目尻にアイライナーのウィングを描くこと
にあるステップを含む、化粧されるべき第１の目の目尻にアイライナーのウィングの線描を生じさせるために、上記で定義したような型紙を使用するための方法に関する。
【００２８】
「上方に延在する」は、位置決め辺が顔の正中線に対して平行に延在する状態で型紙が皮膚に配置されるとき、切欠き部の第１のセグメントが顔の上部の方向に延在することを意味するものとする。
【００２９】
好都合にも、上述の方法はまた、化粧されるべき第２の目の目尻にアイライナーのウィングの線描を生じさせるために使用され得、そのため、前記方法は：
−  第１又は第２の前面の他方を、化粧されるべき第２の目の目尻の近くに、顔と接触するように配置すること；
−  切欠き部の第１のセグメントが位置決め辺から上方に延在する状態で、前記位置決め辺を顔の正中線に対して平行に位置決めすること；
−  位置決め辺に接続された切欠き部の第１のセグメントの第１の端部を、化粧されるべき第２の目の目尻に配置すること；
−  切欠き部の第１のセグメントを辿って、化粧されるべき第２の目の目尻にアイライナーのウィングを描くこと
にある追加的なステップを含む。
【００３０】
上述の方法が型紙を用いるとき、その切欠き部は、上記で定義されたような第１のセグメントに接続された第２のセグメントを有し、これは、好都合には、第１及び第２のセグメントと位置決め辺とによって規定された切欠き部の受け入れ空間をアイライナーで埋めて、化粧されるべき第１及び／又は第２の目の目尻に、アイライナーの、切欠き部の受け入れ空間の形状に対応する形状のウィングを形成することにある追加的なステップを含む。
【００３１】
最後に、本発明の第１の態様はまた：
−  上記で定義したような型紙、及び
−  アイライナーの容器を閉鎖するのに好適であり、且つ長手方向軸に沿って延在するキャップ
を含む、アセンブリであって、
型紙は、キャップに固定されるしまい込み形態（ｓｔｏｗｅｄ  ｃｏｎｆｉｇｕｒａｔｉｏｎ）と、キャップから切り離される使用形態との間で動くことができる、アセンブリを提案する。
【００３２】
本発明の第１の態様によるアセンブリの好都合な提供によれば、キャップは、長手方向軸に対して平行に延在し且つ型紙のしまい込み形態においてレールを形成する型紙の少なくとも一部分を受け入れるのに好適な受溝を含む。
【００３３】
好ましくは、本発明の第１の態様によるアセンブリはまた、アイライナーの容器、特に、アイライナーの貯留部と、特に多孔質材料及び／又は繊維性材料で作製され且つ貯留部と流体連通している塗布具先端とを含む、アイライナーペンの形態にある容器を含む。
【００３４】
変形例として、本発明の第１の態様によるアセンブリのアイライナー容器は、ボトルの形態にあってもよく、及びキャップは、ロッドを含む、浸水塗布具に属してもよく、ロッドの一方の端部は、キャップに接続され、且つその対向端部は、アイライナーをいっぱい含むように、アイライナーの貯留部を形成するボトル内で浸されるのに好適な塗布具部材を備える。
【００３５】
第２の態様によれば、本発明は、流体又は粉末の形態にある化粧品、特にメイクアップ又はケア製品を皮膚に塗布するのに好適な型紙であって、前記型紙は、実質的に平面の本体を含み、及び：
−  第１の前面；
−  第１の前面に向かい合った第２の前面；
−  第１の前面と第２の前面をつなぐ外側辺部分；
−  第１及び第２の前面に開口し、且つ化粧品を受け入れるための空間を規定するへりによって範囲を定められる、貫通空洞
を有する、型紙に関する。
【００３６】
既に上記で引用した文献国際公開第２０１４１２２６４０号パンフレットには、そのような型紙が説明されており、その貫通空洞は、切欠き部の形態にあり、化粧されるべき目尻でのアイライナーのウィングの線描と、まぶたの睫毛の付け根でのアイライナーのラインの線描とを同時に生じさせることを可能にしている。
【００３７】
この文献国際公開第２０１４１２２６４０号パンフレットによる型紙では、切欠き部によって規定される受け入れ空間に塗布される化粧品、この場合アイライナーが流れ出て、皮膚と、顔に接触する第１又は第２の前面との間ににじんでしまい、それにより、塗布された化粧の見た目に害を及ぼすリスクがある。
【００３８】
それゆえ、上記で定義したような型紙を開発する必要があり、そこでは、型紙が、その第１又は第２の前面によって皮膚に接触されるときに、化粧品を受け入れるための空間の気密性を高めるための手段が用いられる。
【００３９】
そのような目標は、得られる結果の魅力、及びメイクアップ製品の塗布部分の印の輪郭を明確にし得ることが重要であるため、型紙によって顔にメイクアップ化粧品を塗布する観点から、特に重要である。
【００４０】
それにもかかわらず、より一般的に言えば、製品を受け入れるための空間が、閉鎖輪郭、すなわち型紙の辺部分に開口していない空洞、又は開放輪郭、すなわち型紙の辺部分に開口している空洞によって、規定され、化粧品の気密性が高められている、型紙の開発は、例えば流体又は粉末の形態にあるいずれかの化粧品を、これが、メイクアップ製品、例えばアイライナー、頬紅、口紅などであるか、又はケア製品であるかに関わらず、ケラチン表面、例えば皮膚や唇に塗布する観点から、特に有益である。
【００４１】
この目標を達成するために、第２の態様による本発明は、へりが、本体の第１の前面及び／又は第２の前面から突出し且つ空洞のへりに沿って皮膚を局所的に変形させるために皮膚と接触するように配置されるように構成されるシーリングリムを有する、上述のタイプの型紙を提案する。
【００４２】
これらの提供のおかげで、皮膚と型紙の空洞のへりとの間の気密性は、型紙が使用者の顔とその第１又はその第２の前面によって接触させられるときに、高められ、これは、空洞の受け入れ空間に塗布された化粧品、特にアイライナーが流れ出て、皮膚と、顔に接触する第１又は第２の前面との間ににじんでしまうリスクを抑えることを可能にする。
【００４３】
それゆえ、本発明の第２の態様による型紙の空洞の受け入れ空間内での皮膚へのメイクアップ製品、例えばアイライナーの塗布の観点から、皮膚に塗布されるメイクアップのラインが、空洞のへりによって規定されたものに対応する明確に定められた輪郭を確実に有するようにする。
【００４４】
他の好都合な態様によれば、本発明の第２の態様による型紙は、以下の特徴のうちの１つ以上を、別々に取り入れて、又はいずれかの技術的に可能な組み合わせで、含む：
−  位置決め辺は、好都合には、位置決め軸に沿って測定された、１５ｍｍ以上、特に２０ｍｍ以上、好ましくは２５ｍｍ以上、例えば３５ｍｍに近い長さを有する。位置決め辺をそのように最小長にすることによって、使用者が、この位置決め辺を顔の正中線に対して平行に配置することによって、型紙を信頼性高く且つ正確に位置決めできるようになる。
−  シーリングリムは、シーリングリッジを形成するように、三角形の断面を有する。シーリングリムの断面のそのような三角形は、型紙がその第１又は第２の前面によって使用者の顔と接触されるときに、皮膚とシーリングリッジとの間に局所的な正圧が発生するため、皮膚とへりの空洞との間の気密性をさらに高めることを可能にする。
−  シーリングリムは、第１の前面と第２の前面を分離する距離の２０％〜４０％の、例えば３０％に近い突出距離だけ、本体の第１の前面及び／又は第２の前面から突出する。突出距離は、例えば０．１ｍｍ〜０．３ｍｍであり、特に０．２ｍｍに近い。型紙の本体の第１の前面と第２の前面を分離する距離は、好都合には、型紙の厚さに対応する。好都合には、第１の前面と第２の前面を分離する距離は０．０１ｍｍ〜１ｍｍであり、特に、化粧品、特にアイライナーの塗布具先端を、貫通空洞に正しく侵入できるようにして、そのへりを辿ることができるようにする。突出距離は、第１及び／又は第２の前面に対して垂直に測定される。
−  貫通空洞は、型紙の外側辺部分に開口して、前記外側辺部分に切欠き部を形成する。この場合、貫通空洞のへりが型紙の外側辺部分に開口しているため、貫通空洞は、閉鎖輪郭を有していない。変形例として、貫通空洞のへりがそれ自体に閉鎖している閉鎖輪郭を有する貫通空洞を提供することが可能である。
−  外側辺部分は、位置決め軸に沿って延在する実質的に直線の位置決め辺を有し、
位置決め辺は、顔の正中線に対して平行に配置されるように構成されており、及び
切欠き部は、位置決め辺に接続された第１の端部と、第２の対向端部とを有する第１のセグメントを含み、前記第１のセグメントは、位置決め辺と、９５°〜１４５°、好ましくは１１０°〜１３０°の、特に１２０°に近い角度を形成する。
−  切欠き部は、位置決め辺に接続された第１の端部と、第１のセグメントの第２の端部に接続される第２の対向端部とを有する第２のセグメントを含み、及び
第１のセグメントの第１の端部と第２のセグメントの第１の端部は、位置決め軸に沿って測定された距離だけ分離されており、前記距離は、特に、３ｍｍ〜６ｍｍ、好ましくは４ｍｍ〜５ｍｍであり、特に４．５ｍｍに近い。
−  型紙は、好都合には、０．５ＭＰａ〜５ＭＰａ、好ましくは０．７ＭＰａ〜３ＭＰａの、特に１．３ＭＰａに近いヤング率を有する、可塑性材料、特に熱可塑性材料、例えばポリプロピレン（ＰＰ）、ポリエチレン（ＰＥ）、ポリエチレンテレフタレート（ＰＥＴ）、アクリロニトリルブタジエンスチレン（ＡＢＳ）、ポリブチレンテレフタレート（ＰＢＴ）、ポリ塩化ビニル（ＰＶＣ）、ポリテトラフルオロエチレン（ＰＴＦＥ）、及び特にポリシクロヘキシレンジメチレンテレフタレート（ＰＣＴＡ）で作製されている。そのような可塑性材料は、化粧品を塗布したい顔の領域の表面の凸凹、及び各顔の特異性に適合するために、十分に可撓性がある一方で、使用者によって取り扱われることができ、且つ切欠き部のへりを辿って、化粧品を塗布したい顔の領域への、化粧品の、明確に定められた、正確且つ繰り返し可能な塗布を可能にする十分な堅さのある、型紙を得ることを可能にする。さらに、型紙を作るための可塑性材料の使用は、その製造コストを抑えることを可能にする。変形例として、型紙は、金属材料、例えば真鍮、鋼、アルミ、銅、鉄、ザマックなどで作製され得る。
−  型紙は、目尻にアイライナーのウィングを形成するための、アイライナーの塗布に好適である。これに関連して、本発明の第２の態様による型紙は、本発明の第１の態様による型紙に関連して説明した特徴のうちの、１つの特徴、別の特徴、又は特徴の組み合わせを有し得る。
【００４５】
本発明の第２の態様はまた：
−  貫通空洞が、化粧品を塗布したい皮膚の領域のレベルに位置する状態で、第１又は第２の前面の一方を皮膚と接触させて配置すること；
−  前記第１又は第２の前面を皮膚に押し当てて、シーリングリムが、貫通空洞のへりに沿って皮膚を局所的に変形させること；
−  化粧品を塗布したい皮膚の領域に、貫通空洞を通して、化粧品を塗布すること
にあるステップを含む、流体又は粉末の形態の化粧品、特にメイクアップ又はケア製品を皮膚に塗布するために、上述のような型紙を使用する方法に関する。
【００４６】
上述の方法が、型紙の辺部分に開口し且つ第１のセグメントを有する切欠き部の形態の貫通空洞を有する型紙であって、切欠き部のこの第１のセグメントと特定の角度を形成する位置決め辺を有する型紙を用いるとき、この方法は、好都合には、化粧されるべき目尻にアイライナーのウィングの線描を生じさせるために用いられ得、及び：
−  第１又は第２の前面の一方を、化粧されるべき目尻の近くに、顔と接触するように配置すること；
−  切欠き部の第１のセグメントが位置決め辺から上方に延在する状態で、位置決め辺を顔の正中線に対して平行に位置決めすること；
−  位置決め辺に接続された切欠き部の第１のセグメントの第１の端部を、化粧されるべき目尻に配置すること；
−  切欠き部の第１のセグメントを辿って、アイライナーのウィングを、化粧されるべき目尻に描くこと
にあるステップを含む。
【００４７】
「上方に延在する」は、位置決め辺が顔の正中線に対して平行に延在する状態で型紙が皮膚に配置されるとき、切欠き部の第１のセグメントが顔の上部の方向に延在することを意味するものとする。
【００４８】
これに関連して、本発明の第２の態様による型紙の使用方法は、本発明の第１の態様による型紙の使用方法に関連して説明した特徴のうちの、１つの特徴、別の特徴、又は特徴の組み合わせを有し得る。
【００４９】
最後に、本発明の第２の態様はまた：
−  上記で定義したような型紙、及び
−  化粧品、特にアイライナーの容器を閉鎖するのに好適であり、且つ長手方向軸に沿って延在するキャップ
を含む、アセンブリであって、
型紙は、キャップに固定されるしまい込み形態と、キャップから切り離される使用形態との間で動くことができる、アセンブリを提案する。
【００５０】
本発明の第２の態様によるアセンブリの好都合な提供によれば、キャップは、長手方向軸に対して平行に延在し且つ型紙のしまい込み形態においてレールを形成する型紙の少なくとも一部分を受け入れるのに好適な受溝を含む。
【００５１】
好ましくは、本発明の第２の態様によるアセンブリはまた、アイライナーの容器、特に、アイライナーの貯留部と、特に、多孔質材料及び／又は繊維性材料で作製され且つ貯留部と流体連通している塗布具先端とを含む、アイライナーペンの形態の容器を含む。
【００５２】
変形例として、本発明の第２の態様によるアセンブリの化粧品容器は、ボトルの形態にあってもよく、及びキャップは、ロッドを含む、浸水塗布具に属してもよく、ロッドの一方の端部は、キャップに接続され、且つその対向端部は、化粧品をいっぱい含むように、化粧品の貯留部を形成するボトル内で浸されるのに好適な塗布具部材を備える。
【００５３】
第３の態様によれば、本発明は：
−  特に流体又は粉末の形態の化粧品、特にメイクアップ又はケア製品の容器を閉鎖するのに好適なキャップであって、長手方向軸に沿って延在するキャップ、
−  化粧品を塗布するための付属品であって、実質的に平面の本体を含む付属品
を含む、アセンブリであって、
前記付属品は、キャップに固定されるしまい込み形態と、キャップから切り離される使用形態との間で動くことができる、アセンブリに関する。
【００５４】
文献米国特許第５１７８１７０号明細書には、そのようなアセンブリが説明されており、ここでは、付属品は、目にアイライナーを描くためのガイドであり；この文献によるアセンブリでは、アイライナー用のガイドは、互いに対して旋回する２つの実質的に平面的小葉状要素で形成され、第１の小葉状要素は、ガイドの能動部品を形成し、及び第２の小葉状要素は、メイクアップ製品を包装する装置のキャップなどのシリンダー状要素へのスナップ締結用のタブを備えている。
【００５５】
この文献米国特許第５１７８１７０号明細書によるアセンブリでは、シリンダー状要素にしまい込み形態でアイライナー用のガイドを保持する信頼性が、時間が経つにつれて、及びガイドを連続的に使用するにつれて、低下しがちである。これは、時間が経つにつれてスナップ締結タブの弾性回復能が低下しがちであるために、シリンダー状要素でのガイドの保持を提供するスナップ締結システムが、多数回の使用後に緩みがちになるためである。
【００５６】
その第３の態様によれば、本発明の目標はこれらの欠点を克服することにあり、及びこの目的を達成するために、上述のタイプのアセンブリを提案しており、ここでは、キャップは、長手方向軸に対して平行に延在し且つ付属品のしまい込み形態においてレールを形成する付属品の少なくとも一部分を受け入れるのに好適な受溝を含む。
【００５７】
これらの提供のおかげで、本発明の第３の態様は、しまい込み位置においてキャップに付属品を保持する信頼性が高められるアセンブリを提案する。
【００５８】
他の好都合な態様によれば、本発明の第３の態様によるアセンブリは、以下の特徴のうちの１つ以上を、別々に取り入れて、又はいずれかの技術的に可能な組み合わせで、含む：
−  キャップは、長手方向軸に対して平行に延在する、互いに対面する２つのウィングを含む外周面を有し、これらウィングは、それらの間に、付属品を受け入れるための溝を画成している。
−  受溝は、長手方向軸の方向にある第１の開放端部と、第２の対向端部との間に延在する。
−  溝の第２の端部は、付属品を長手方向軸の方向において止める停止部を備える。
−  付属品の本体は、第１の前面、第１の前面に向かい合った第２の前面、前記第１の前面と第２の前面を接続し且つ実質的に直線の位置決め辺を含む外側辺部分を有し、及び
付属品のしまい込み形態においてキャップの受溝に受け入れられるのに好適なレールを形成する付属品の部分は、前記位置決め辺を含む。
−  受溝は、前記受溝内に突出するガイドすなわち案内クラスター（ｇｕｉｄｅ  ｃｌｕｓｔｅｒ）を含み、
付属品の前面は、位置決め辺に対して平行に延在する案内溝を有し、及び
前記案内溝は前記ガイドクラスターと協働して、キャップに対して付属品を、その使用形態とそのしまい込み形態との間で案内し、且つそのしまい込み形態において、長手方向軸に対して垂直な方向において、キャップに対して付属品をブロックする。
−  受溝はまた、前記受溝内に突出するブロック用スタッドを含み、
案内溝は、前記案内溝内に突出するブロック用突起を含み、及び
前記ブロック用突起は前記ブロック用スタッドと協働して、しまい込み形態において、受溝の長手方向軸の方向における第１の開放端部の側で、長手方向軸に沿って、キャップに対して前記付属品をブロックする。
−  付属品は、目尻にウィングを形成するために、アイライナーの塗布に好適な型紙である。これに関連して、本発明の第３の態様による型紙は、本発明の第１及び／又は第２の態様による型紙に関して説明した特徴のうちの、１つの特徴、別の特徴、又は特徴の組み合わせを有し得る。
【００５９】
好ましくは、本発明の第３の態様によるアセンブリはまた、化粧品、特にアイライナーの容器、特に、化粧品の貯留部と、特に多孔質材料及び／又は繊維性材料で作製され、貯留部と流体連通する塗布具先端とを含む、ペンの形態の容器を含む。
【００６０】
変形例として、本発明の第３の態様によるアセンブリの化粧品容器は、ボトルの形態にあってもよく、及びキャップは、ロッドを含む、浸水塗布具に属してもよく、ロッドの一方の端部は、キャップに接続され、且つその対向端部は、化粧品をいっぱい含むように、化粧品の貯留部を形成するボトル内で浸されるのに好適な塗布具部材を備える。
【００６１】
本発明の第３の態様によるアセンブリの１つの好都合な提供によれば、付属品及び／又はキャップは、好都合には、０．５ＭＰａ〜５ＭＰａ、好ましくは０．７ＭＰａ〜３ＭＰａの、特に１．３ＭＰａに近いヤング率を有する、可塑性材料、特に熱可塑性材料、例えばポリプロピレン（ＰＰ）、ポリエチレン（ＰＥ）、ポリエチレンテレフタレート（ＰＥＴ）、アクリロニトリルブタジエンスチレン（ＡＢＳ）、ポリブチレンテレフタレート（ＰＢＴ）、ポリ塩化ビニル（ＰＶＣ）、ポリテトラフルオロエチレン（ＰＴＦＥ）、及び特にポリシクロヘキシレンジメチレンテレフタレート（ＰＣＴＡ）で作製されている。
【００６２】
これらの可塑性材料の選択は、本発明の第３の態様に照らして、しまい込み形態でキャップに付属品を保持する信頼性と、使用者が付属品をそのしまい込み形態と使用形態との間で簡単に動かせることとの良好な妥協案を得ることを可能にする限りにおいて、特に好都合である。
【００６３】
本発明の第３の態様に関連して説明したアセンブリの特徴は、本発明の第１及び第２の態様によるアセンブリに適用され得る。
【００６４】
より一般的に、本発明の第１、第２及び第３の態様のうちの１つの態様又は別の態様に関連して説明した全ての技術的な特徴は、これら主題のそれぞれを規定する特徴の技術的な互換性が保証される限り、本発明の他の態様の主題内で用いられてもよい。
【００６５】
本発明の異なる態様は、添付図面を参照して、以下のその非限定的な例示的な実施形態の説明を読むことから、より良好に理解され得る。
【図面の簡単な説明】
【００６６】
【図１】本発明の第３の態様によるアセンブリの付属品も構成し得る、本発明の第１及び第２の態様による型紙の斜視図を示す。
【図２】図１の型紙の前面図である。
【図３】図２の型紙の左側から見た図である。
【図３Ａ】図３の型紙の詳細部Ａの拡大図である。
【図４】図２の型紙の線ＩＶ−ＩＶに沿って取った断面図である。
【図４Ａ】図４の詳細部Ｂの拡大図である。
【図５Ａ】図１〜４の型紙による、皮膚への化粧品の塗布の異なるステップを示す。
【図５Ｂ】図１〜４の型紙による、皮膚への化粧品の塗布の異なるステップを示す。図５Ｂ’は、図５Ｂの変形例を示す。
【図５Ｃ】図１〜４の型紙による、皮膚への化粧品の塗布の異なるステップを示す。
【図５Ｄ】図１〜４の型紙による、皮膚への化粧品の塗布の異なるステップを示す。
【図５Ｅ】図１〜４の型紙による、皮膚への化粧品の塗布の異なるステップを示す。
【図６】図１〜５の型紙と使用者の皮膚との間の接触の拡大図を示す。
【図７】本発明の第１、第２及び／又は第３の態様によるアセンブリ内で用いられるキャップの例を示す。
【図８】図７のキャップの縦断面図である。
【図９】キャップでのしまい込み形態にある付属品を表す、図８と類似の図である。
【図１０Ａ】本発明の第１、第２及び／又は第３の態様によるアセンブリ内で用いられる化粧品容器の例を示す。
【図１０Ｂ】図７〜９のキャップと組み合わせられた、図１０Ａの容器を部分的に示す。
【図１０Ｃ】図７〜９及び図１０Ｂのキャップに対する、付属品の使用形態からしまい込み形態への移行を示す。
【図１０Ｄ】図７〜９及び図１０Ｂのキャップに対する、付属品の使用形態からしまい込み形態への移行を示す。
【図１０Ｅ】図７〜９及び図１０Ｂのキャップに対する、付属品の使用形態からしまい込み形態への移行を示す。
【発明を実施するための形態】
【００６７】
図１は、本発明の第１の態様又は第２の態様による例示的な型紙の斜視図を示し、これはまた、本発明の第３の態様によるアセンブリの付属品を構成し得る。
【００６８】
この型紙１は、実質的に平面の本体１０を含む。実質的に平面とは、正規直交座標系において、本体１０が、２つの直交軸に沿って寸法を有し、それらの寸法は、正規直交座標系の第３の軸に沿ったその寸法よりも遥かに大きい、例えば少なくとも５倍、又はさらには１０倍大きいことを意味するものとする。そのような平面的要素では、一般に、前者の２つの寸法は長さ及び幅、並びに第３の寸法は厚さを指す。
【００６９】
図面に示す本発明の例示的な実施形態では、型紙１は、目の、この例では両目の目尻にアイライナーのウィングＶ、Ｖ’を形成するために、アイライナーを塗布するのに好適である。
【００７０】
変形例として、特に本発明の第２の態様又は第３の態様による型紙１は、流体又は粉末の形態の化粧品、例えばケラチン表面、特に皮膚や唇を化粧するための製品、例えばカラーリングクリーム、頬紅若しくはアイシャドウ、或いは口紅やリップグロス、又はケア製品の塗布に好適とし得る。
【００７１】
特に図１〜４に明白に示すように、型紙１の本体１０は、第１の前面１１と、第１の前面１１に向かい合った第２の前面１２とを有する。
【００７２】
これら２つの前面１１、１２は、型紙１の本体１０の輪郭を規定する外側辺部分１３によって接続されている。
【００７３】
図示の例示的な実施形態では、型紙１の本体１０は、全体的な形態が扁平な三角形の輪郭を有し、角１０１、１０２、１０３は丸みをつけられており、特に使用者が型紙を使用者の目の近くで使用するときに、とりわけ使用者に全く危険がないようにしている。
【００７４】
同様に、外側辺部分１３は、前面１１、１２とのその接合部に丸みがつけられている。
【００７５】
それゆえ、主辺部分１３は、丸みを帯びた角１０１、１０２、１０３を備え且つ３つの辺１３０、１３１、１３２を含む三角形の輪郭を有する。
【００７６】
型紙１の本体１０は、第１及び第２の前面１１、１２に開口する貫通空洞１４を有し、この貫通空洞１４は、へり１４１、１４２によって範囲が定められて、化粧品用の受け入れ空間１４０を規定する。
【００７７】
図示の例示的な実施形態では、型紙１は、目尻にアイライナーのウィングＶ、Ｖ’を形成するためのアイライナーの塗布に好適である；それゆえ、図１及び図２に示すように、貫通空洞１４は、型紙１の本体１０の外側辺部分１３に形成され、且つ第１及び第２の前面１１、１２に、及びまた外側辺部分１３に開口する切欠き部１４を構成する。
【００７８】
より具体的には、特に本発明の第１の態様に照らして、切欠き部１４は、位置決め辺１３０で示される、外側辺部分１３の辺の一方に形成される。
【００７９】
この位置決め辺１３０は、位置決め軸Ｘに沿って延在する実質的に直線であり、その目的を下記で説明する。
【００８０】
それゆえ、切欠き部１４は、第１及び第２の前面１１、１２に、及びまた外側辺部分１３の位置決め辺１３０に開口し、且つ化粧品用、特に本発明の第１の態様に照らして、アイライナー用の受け入れ空間１４０を規定する。
【００８１】
図１及び図２に示すように、切欠き部１４は第１のセグメントすなわち線分１４１を有し、その第１の端部は、辺部分１３の位置決め辺１３０に接続されている。
【００８２】
図示の例示的な実施形態では、切欠き部１４はまた、第２のセグメントすなわち線分１４２を有し、その第１の端部は、辺部分１３の位置決め辺１３０に接続されている。
【００８３】
切欠き部１４の第１及び第２のセグメント１４１、１４２は、それぞれ、第１の端部に対向する第２の端部を有し、及びそれら端部は互いに接続されている。
【００８４】
さらに、図示の例示的な実施形態では、切欠き部１４の第１及び第２のセグメント１４１、１４２は直線である。
【００８５】
変形例として、切欠き部１４の第１及び／又は第２のセグメント１４１、１４２は湾曲していてもよく、セグメント１４１、１４２の第１の端部において位置決め辺１３０と交差し且つセグメント１４１、１４２の第２の端部において互いに交差する軸に従う。
【００８６】
図１及び図２に示すように、切欠き部１４のセグメント１４１、１４２の第２の端部は、位置決め辺１３０に対向する辺部分１３のコーナ１０２の近くで、本体１０内で接合する。
【００８７】
切欠き部１４の第２のセグメント１４２は、好都合にも、第１のセグメント１４１と非ゼロの角度β、特に５°〜３５°、好ましくは１０°〜３０°を形成する。図示の例示的な実施形態では、切欠き部１４の第１のセグメント１４１と第２のセグメント１４２との間の角度βは、２０°に近い。
【００８８】
特に図１及び図２から明白なように、外側辺部分１３の位置決め辺１３０は、切欠き部１４の第１のセグメント１４１の第１の端部が接続する部分と、切欠き部１４の第２のセグメント１４２の第１の端部が接続する部分との間に切れ目がある。
【００８９】
好都合にも、切欠き部１４の第１のセグメント１４１の第１の端部と切欠き部１４の第２のセグメント１４２の第１の端部は、位置決め軸Ｘに沿って測定された非ゼロの距離ｄだけ分離され、前記距離ｄは、特に、３ｍｍ〜６ｍｍ、好ましくは４ｍｍ〜５ｍｍであり、特に４．５ｍｍに近い。
【００９０】
図示しない実施形態では、型紙１の本体１０の辺部分１３に形成された切欠き部１４は、単一のセグメントのみを有してもよく、その第１の端部は、位置決め辺１３０に接続され、且つその対向端部は、型紙１の本体１０の辺部分１３の別の辺１３１、１３２に接続される。
【００９１】
この場合、切欠き部１４は、型紙１の本体１０の辺部分１３に形成された斜面で構成され、及び切欠き部１４によって規定された受け入れ空間１４０は、第１のセグメント１４１に隣接するバンドすなわち帯状領域によって形成され、且つ化粧品のラインがそのバンド上に第１のセグメント１４１を辿って描かれ得る。それゆえ、アイライナーの塗布の観点から、第１のセグメント１４１は、アイライナーのラインを描くことを可能にするガイドを形成し、このライン自体が、おそらく化粧されるべき目尻にアイライナーのウィング、又はそのようなウィングを生じるための大まかなアウトラインを構成する。
【００９２】
本発明の１つの好都合な提供によれば、特に第１及び第２の態様によれば、とりわけその第２の態様によれば、貫通空洞のへりは、第１の前面及び／又は第２の前面から突出するシーリングリムを有し、このシーリングリムは、空洞のへりに沿って皮膚を局所的に変形させるために、皮膚と接触して置かれるように構成されている。
【００９３】
それゆえ、型紙がその第１又はその第２の前面によって使用者の顔と接触されるときの、皮膚と型紙の空洞のへりとの間の気密性が改善され、これにより、空洞の受け入れ空間に塗布されるアイライナーが流れ出て、皮膚と、顔に接触する第１又は第２の前面との間ににじんでしまうリスクを制限することを可能にする。
【００９４】
図示の例示的な実施形態では、空洞１３は切欠き部１４によって形成され、且つ空洞のへりは、切欠き部１４の第１及び第２のセグメント１４１、１４２によって規定される。
【００９５】
それゆえ、図示の例示的な実施形態では、特に図３、図３Ａ及び図６に示すように、切欠き部１４の第１のセグメント１４１及び第２のセグメント１４２は、それぞれ、型紙１の本体１０の第１の前面１１及び第２の前面１２から突出する２つのシーリングリム１４１１、１４１２、１４２１、１４２２を有する。
【００９６】
それゆえ、型紙１の本体１０は、好都合にも、その第１及び第２の前面１１、１２に対して平行であり且つその外側辺部分１３にその中央で交差する平面に関して、対称である。
【００９７】
型紙１の本体１０のそのような対称性は、顔への塗布が対称であることを必要とする化粧品の塗布の観点から、特に好都合である。なぜなら、本体１０は、その第１の前面１１によって、化粧品を塗布したい、例えば顔の左側に位置する１つの領域に、及び、その第２の前面１２によって、化粧品を塗布したい、例えば顔の右側に位置する対称的な領域に、選択的に押し付けられ得るためである。それゆえ、これにより、右側及び左側の領域への化粧品の対称的な塗布を達成する。
【００９８】
本発明による型紙１を使用する目尻でのアイライナーの塗布の観点から、型紙１の本体１０のこの対称性は、図５Ａに示し、且つ下記で詳細に説明するように、右目の目尻と左目の目尻との間で対称的であるウィングＶ、Ｖ’を生じるのに特に好都合である。
【００９９】
好都合にも、特に図３Ａに示すように、第１及び第２のセグメント１４１、１４２のシーリングリム１４１１、１４１２、１４２１、１４２２は、型紙１の本体１０の前面１１、１２から、前記前面１１、１２に対して垂直に測定された、第１の前面１１と第２の前面１２とを分離する距離ｅの２０％〜３０％の突出距離ｓだけ、突出する。この突出距離ｓは、例えば０．１ｍｍ〜０．２ｍｍである。図示の例示的な実施形態では、第１の前面１１と第２の前面１２とを分離する距離ｅは０．５５ｍｍに近く、及び突出距離は０．１５ｍｍに近い。好都合にも、型紙１の実質的な厚さに対応する、第１の前面１１と第２の前面１２とを分離する距離ｅは、０．０１ｍｍ〜１ｍｍであり、特に、化粧品、特にアイライナーを塗布するための先端が、切欠き部１４に正しく侵入できるようにして、且つその第１及び第２のセグメント１４１、１４２を正確に辿ることができるようにする。
【０１００】
好ましくは、特に図３Ａ及び図６に示すように、第１及び第２のセグメント１４１、１４２のシーリングリム１４１１、１４１２、１４２１、１４２２は三角形の断面を有して、シーリングリッジ１４１３、１４１４、１４２３、１４２４を形成するようにする。そのようなシーリングリッジ１４１３、１４１４、１４２３、１４２４は、型紙１が、その第１又はその第２の前面１１、１２を介して皮膚Ｐと接触されるとき、皮膚Ｐとシーリングリッジ１４１３、１４１４、１４２３、１４２４との間に局所的な正圧を発生させるため、皮膚Ｐと切欠き部１４の第１及び第２のセグメント１４１、１４２との間の接触部の気密性をさらに改善する。
【０１０１】
実際、この現象は、図６に示され、ここでは、型紙１は、本体１０がその第１の前面１１によって皮膚に押し当てられて、切欠き部１４の第１及び第２のセグメント１４１、１４２のシーリングリム１４１１、１４２１が、この第１の前面１１から突出し、切欠き部１４の第１及び第２のセグメント１４１、１４２に沿って皮膚を局所的に変形させ、且つシーリングリッジ１４１３、１４２３が皮膚Ｐに局所的な正圧を発生させている状態で、示されている。
【０１０２】
本発明の第２の態様に照らして、図示の例示的な実施形態では、型紙の貫通空洞は、輪郭が開放した空洞の形態、切欠き部の形態にあり、そのへりは、第１及び第２のセグメントに形成されているが、本発明の文脈から逸脱せずに、例えば円形、長円形、卵形、或いは多角形の輪郭の空洞などの閉鎖輪郭、又は多角形、丸みを帯びた、例えば三日月形状、ラグビーボール形状、波形又は他の形態を辿る輪郭の空洞などの開放輪郭の、何らかの他の形態の貫通空洞のへりにシーリングリムを用いることを考えることが可能である。
【０１０３】
本発明の１つの好都合な提供によれば、特にその第１及び第２の態様によれば、とりわけその第１の態様によれば、特に図５Ａに示すように、型紙１の本体１０の位置決め辺１３０は、顔の正中線Ｍに平行に置かれるように構成されている。
【０１０４】
位置決め辺１３０を顔の正中線Ｍに平行にこのように置くことは、特に簡単であり、且つ使用者にとって直感的であり、型紙の三角形は、さらに、型紙の直感的な使用を促す。
【０１０５】
位置決め辺１３０、又は少なくとも切欠き部１４の第１のセグメント１４１の第１の端部と角１０１との間に延在する部分は、好都合にも、位置決め軸Ｘに沿って測定された、１５ｍｍ以上、特に２０ｍｍ以上、好ましくは２５ｍｍ以上、例えば３５ｍｍに近い長さＬを有する。位置決め辺１３０をそのように最小長にすることによって、この位置決め辺１３０を顔の正中線Ｍに対して平行に置くことによって、使用者が信頼性高く且つ正確に型紙１を位置決めできるようになる。
【０１０６】
さらに、特に図２及び図５Ａ〜５Ｃに示すように、切欠き部１４の第１のセグメント１４１は、位置決め辺１３０と、９５°〜１４５°、好ましくは１１０°〜１３０°の角度αを形成する。図示の例示的な実施形態では、切欠き部１４の第１のセグメント１４１と位置決め辺との間の角度αは、１１０°〜１３０°であり、１２０°に近い。
【０１０７】
化粧されるべき目尻にウィングを形成するために、アイライナーの塗布の観点から特に好都合であるこれらの提供のおかげで、使用者が型紙を、例えば本体１０の第１の前面１１によって、目尻の近くで使用者の皮膚に適用し、切欠き部１４の第１のセグメント１４１が位置決め辺１３０から上方に延在する状態で位置決め辺１３０を顔の正中線Ｍに平行な向きにし、且つ切欠き部１４の第１のセグメント１４１の第１の端部を目尻に置くと、第１のセグメント１４１は、存在する様々な顔の形状を考慮して、鼻のベースすなわち底Ｂの方に向かって最適な向きになる。
【０１０８】
「上方に延在する」は、位置決め辺１３０が顔の正中線Ｍに対して平行に延在する状態で型紙１が皮膚に接して置かれるとき、切欠き部１４の第１のセグメント１４１が顔の上部の方向に延在することを意味するものとする。
【０１０９】
型紙をそのように使用者の顔に位置決めした状態で、使用者が、切欠き部１４の第１のセグメント１４１を辿ってアイライナーのラインを描くとき、使用者は、一部のメイクアップの専門家によって推奨されるように、鼻のベースＢから目尻へ行く仮想線ＬＶの延長線上に、使用者の顔で完璧な向きにされたウィング又は少なくともウィングの大まかなアウトラインを得る。
【０１１０】
図示しない変形例として、第１のセグメント１４１と位置決め辺１３０との間の角度αが１２０°〜１４０°であり、特に１３０°に近くなるように提供することが可能である。それゆえ、使用者が、例えば本体１０の第１の前面１１によって、目尻の近くで使用者の皮膚に型紙１を適用し、切欠き部１４の第１のセグメント１４１が位置決め辺１３０から上方に延在する状態で位置決め辺１３０を顔の正中線Ｍに平行な向きにし、且つ切欠き部１４の第１のセグメント１４１の第１の端部を目尻に置くと、第１のセグメント１４１は、存在する様々な顔の形状を考慮して、化粧されるべき目の側に位置する鼻翼Ａの方へ向かって、最適な向きになる。
【０１１１】
型紙をそのように使用者の顔に位置決めした状態で、使用者が、切欠き部１４の第１のセグメント１４１を辿ってアイライナーのラインを描くとき、使用者は、他のメイクアップの専門家によって推奨されるように、化粧されるべき目の側に位置する鼻翼Ａから目尻へ行く仮想線の延長線上に、使用者の顔で完璧な向きにされたウィング又は少なくともウィングの大まかなアウトラインを得る。それゆえ、アイライナーのウィングが、目尻において得られ、アイラインに対して傾斜されており、これは、図示の例示的な実施形態におけるよりも傾斜されている。
【０１１２】
型紙１を、例えば本体１０の第１の前面１１によって、目尻の近くの皮膚に適用し、切欠き部１４の第１のセグメント１４１が位置決め辺１３０から上方に延在する状態で位置決め辺１３０を顔の正中線Ｍに平行な向きにし、且つ切欠き部１４の第１のセグメント１４１の第１の端部を、鼻のベース又は化粧されるべき目の側に位置する鼻翼の方へ向かって、目尻に置くことによって得られる、目尻でのアイライナーのウィングのそのような向きは、特に好都合であり、白人又はアジア人の目の観点から魅力的で感じが良い。
【０１１３】
白人又はアジア人の目よりも深く顔に窪んでいる目の場合、化粧されるべき目尻に対して、型紙を、図５Ｂ’に示すように、顔の正中線Ｍに対して垂直な方向に、さらに外側に動かすことが好都合とし得る。この図５Ｂ’では、使用者は、型紙１を、例えば本体１０の第１の前面１１によって、目尻の近くで使用者の皮膚に適用し、切欠き部１４の第１のセグメント１４１が位置決め辺１３０から上方に延在する状態で位置決め辺１３０を顔の正中線Ｍに対して平行な向きにし、切欠き部１４の第１のセグメント１４１の第１の端部を目尻に置き、その後、型紙１を、化粧されるべき目から、顔の正中線Ｍに対して垂直な方向において距離Ｏだけ、外側に動かす。
【０１１４】
さらに、その第１の端部と第２の端部との間で測定された切欠き部１４の第１のセグメント１４１の長さｌ１は、切欠き部１４の第１のセグメント１４１の全長ｌ１に沿ってアイライナーのラインを描くことによって、感じが良くて魅力的な長さのウィングＶ、Ｖ’が得られるように、規定される。切欠き部１４の第１のセグメント１４１の長さｌ１は、特に６ｍｍ〜１６ｍｍ、好ましくは８ｍｍ〜１４ｍｍである。図示の例示的な実施形態では、切欠き部１４の第１のセグメント１４１の長さｌ１は、１２ｍｍに近い。
【０１１５】
好ましくは、及び説明する例示的な実施形態で明らかになるように、切欠き部１４は第２のセグメント１４２を含み、この第２のセグメントは、第１のセグメント１４１の第２の端部と位置決め辺１３０との間に延在し、第１のセグメント１４１と挟角（ｏｐｅｎｉｎｇ  ａｎｇｌｅ）βを形成して、前記第１のセグメントと一緒に、化粧品、特にアイライナーを受け入れるための空間１４０を規定する、その形状は、使用者によって描かれるであろうウィングの形状と対応する。
【０１１６】
切欠き部１４の第１及び第２のセグメント１４１、１４２が直線であるとき、受け入れ空間１４０によって規定された形状は三角形であり、及び受け入れ空間１４０にアイライナーを塗布することによって描かれるウィングＶ、Ｖ’は、図示の例示的な実施形態で明らかになるように、対応して三角形である。
【０１１７】
変形例として、切欠き部１４の第１及び第２のセグメント１４１、１４２は、クォータームーン（ｑｕａｒｔｅｒ  ｍｏｏｎ）の形状の受け入れ空間１４０を形成するために、同一の又は異なる半径で同じ湾曲方向を有するか、又はラグビーボールの形状の受け入れ空間１４０を形成するために反対方向の湾曲を有する、湾曲した軸、例えば円弧を辿り得る。切欠き部１４の第１のセグメント１４１が延在する軸が、その第１の端部で、位置決め辺１３０と、以前定義したような角度αを形成するとき、受け入れ空間１４０にアイライナーを塗布することによって描かれたアイライナーのウィングは、顔で最適な向きにされる。
【０１１８】
その第１の端部と第２の端部との間で測定された切欠き部１４の第２のセグメント１４２の長さｌ２は、切欠き部１４の第１及び第２のセグメント１４１、１４２によって規定される受け入れ空間１４０全体にアイライナーを塗布することによって、感じが良くて魅力的な形状のウィングＶ、Ｖ’が得られるように、規定される。切欠き部１４の第２のセグメント１４１の長さｌ２は、特に、６ｍｍ〜１４ｍｍ、好ましくは８ｍｍ〜１２ｍｍである。図示の例示的な実施形態では、切欠き部１４の第１のセグメント１４１の長さｌ１は、１０ｍｍに近い。
【０１１９】
アイライナーのウィングＶ’が、本発明による型紙１によって使用者の右目の目尻に既に作られており（型紙１は、使用者の右目に破線で表されている）、且つ使用者は、本発明による型紙１を、使用者の左目の目尻にアイライナーのウィングを描くためにそこに位置決めしている（型紙は、使用者の左目に実線で表されている）、図５Ａに明白に示すように、特に本発明の第１の態様による型紙１によって、ウィングＶ、Ｖ’は、使用者の右目及び左目の目尻に得られ、これらウィングは、顔に、感じが良くて魅力的な形状の明確に定められた正確な輪郭を有し、且つ顔の正中線Ｍに関する対称性を改善し、これは、使用者の顔へのアイライナーの塗布毎に繰り返し可能である。
【０１２０】
特に第１の態様又は第２の態様によれば、本発明はまた、流体又は粉末の形態の化粧品、特にメイクアップ又はケア製品を皮膚Ｐに塗布するために、特に本発明のこれら第１及び第２の態様による型紙１を使用するための方法に関する。
【０１２１】
本発明の第２の態様に照らして、型紙１を使用するための方法は、化粧品を塗布したい皮膚の領域に型紙１を位置決めする初期ステップを含む。
【０１２２】
それゆえ、本発明の第２の態様による型紙１を使用する方法は、貫通空洞１４が、化粧品を塗布したい皮膚Ｐの領域Ｚのレベルに位置する状態で、第１又は第２の前面１１、１２の一方を皮膚Ｐと接触するように配置することにある第１のステップを含む。
【０１２３】
その後、使用者は、第１又は第２の前面１１、１２を皮膚Ｐに押し当てて、シーリングリム１４１１、１４１２；１４２１、１４２２が貫通空洞１４のへり１４１、１４２に沿って皮膚Ｐを局所的に変形させる；
【０１２４】
最後に、使用者は、化粧品を塗布したい皮膚Ｐの領域Ｚに貫通空洞１４を通して化粧品を塗布し、皮膚Ｐと型紙１の切欠き部１４との間には、シーリングリム１４１１、１４１２；１４２１、１４２２によって気密性が提供される。
【０１２５】
より具体的には、図示の例示的な実施形態に照らして、型紙１は、使用者が目尻にアイライナーのウィングを形成するのを助けるために提供される。
【０１２６】
それゆえ、特に本発明の第１及び第２の態様に照らして、本発明の第１及び第２の態様による型紙１を使用するための方法は、化粧されるべき第１の目の目尻にアイライナーのウィングＶ、Ｖ’の描画を生じるために提案される。
【０１２７】
本発明の第１及び第２の態様に照らして、型紙１を使用するための方法は、アイライナーのウィングを塗布したい目尻に型紙１を位置決めする初期ステップを含む。
【０１２８】
それゆえ、本発明の第１及び第２の態様による型紙１を使用するための方法は、第１又は第２の前面１１、１２の一方を、化粧されるべき第１の目の目尻の近くに、顔と接触するように配置することにある第１のステップを含む。図示の例示的な実施形態では、特に図５Ａ〜５Ｅに示すように、右目のウィングＶ’は既に作られているため、目的は、使用者の左目の目尻にウィングＶを作り出すことである。それゆえ、図示のこの例示的な実施形態では、使用者の左目の目尻にウィングＶを生じさせるために、型紙を、その第１の前面１１によって使用者の顔と接触させる。
【０１２９】
その後、使用者は、特に図５Ａに示すように、切欠き部１４の第１のセグメント１４１が前記位置決め辺１３０から上方に延在する状態で、位置決め辺１３０を顔の正中線Ｍに対して平行に位置決めする。
【０１３０】
「上方に延在する」は、位置決め辺１３０が顔の正中線Ｍに対して平行に延在する状態で型紙１が皮膚に接して置かれるとき、切欠き部１４の第１のセグメント１４１が顔の上部の方向に延在することを意味するものとする。
【０１３１】
それに続いて、特に図５Ｂに示すように、使用者は、位置決め辺１３０に接続される切欠き部１４の第１のセグメント１４１の第１の端部を、化粧されるべき第１の目、この例では左目の目尻に配置する。
【０１３２】
変形例として、及び上述の通り、図５Ｂ’に示すように、白人又はアジア人の目よりも深く顔に窪んでいる目の場合、使用者が、化粧されるべき目、この例では左目の目尻に対して、型紙１を、顔の正中線Ｍに対して垂直な方向にさらに外向きに動かすことが好都合である。この図５Ｂ’では、使用者は、型紙１を、例えば本体１０の第１の前面１１によって、左目の目尻の近くで使用者の皮膚に適用し、切欠き部１４の第１のセグメント１４１が位置決め辺１３０から上方に延在する状態で、位置決め辺１３０を顔の正中線Ｍに対して平行に向け、切欠き部１４の第１のセグメント１４１の第１の端部を左目の目尻に配置し、その後、型紙１を、左目から距離Ｏだけ外向きに、顔の正中線Ｍに対して垂直な方向に動かす。好都合にも、この距離Ｏは、１ｍｍ〜８ｍｍ、好ましくは３ｍｍ〜６ｍｍである。図５Ｂ’に示す例示的な実施形態では、距離Ｏは４．５ｍｍに近い。
【０１３３】
最後に、特に図５Ｃに示すように、使用者は、塗布具先端３１によって、切欠き部１４の第１のセグメント１４１を辿って、左目の目尻にアイライナーのウィングＶを描く。
【０１３４】
より正確には、図示の例示的な実施形態では、上述の通り、型紙１の切欠き部１４はまた、第２のセグメント１４２を含み、且つ切欠き部１４の第１及び第２のセグメント１４１、１４２と位置決め辺１３０とによって規定された、実質的に三角形の輪郭の受け入れ空間１４０を有する。
【０１３５】
それゆえ、目尻にアイライナーのウィングＶを描くステップは、アイライナーの第１のラインを第１のセグメント１４１に沿って描き、第２のラインを第２のセグメント１４２に沿って描き、且つこれら第１のラインと第２のラインとの間の受け入れ空間１４０の残りの部分を埋めて、三角形のウィングＶを形成するように（この形状は、切欠き部１４によって規定された受け入れ空間１４０の形状に対応する）、三角形の輪郭のこの受け入れ空間１４０を埋めることにある。
【０１３６】
それゆえ、アイライナーのウィングＶが左目の目尻に得られ、これは、明確に定められた正確な輪郭を有し、顔で、感じが良く魅力的な向きにされ、且つアイライナーの塗布毎に繰り返し可能である。
【０１３７】
本発明の第１又は第２の態様による型紙１を使用するための方法の好都合な提供によれば、化粧されるべき第２の目、この例では右目の目尻にアイライナーのウィングＶ’の線描を生じさせるために、方法を使用することが可能である。
【０１３８】
それゆえ、本発明の第１又は第２の態様による型紙１を使用するための方法は、図５Ａに破線で示すように、化粧されるべき第２の目、この例では右目の目尻の近くに、第１又は第２の前面１１、１２の他方、この例では第２の前面１２を顔と接触させて配置することにあるステップを含む。
【０１３９】
その後、使用者は、切欠き部１４の第１のセグメント１４１が前記位置決め辺１３０から上方に延在する状態で、位置決め辺１３０を顔の正中線Ｍに対して平行に位置決めする。
【０１４０】
「上方に延在する」は、位置決め辺１３０が顔の正中線Ｍに対して平行に延在する状態で型紙１が皮膚に接して置かれるとき、切欠き部１４の第１のセグメント１４１が顔の上部の方向に延在することを意味するものとする。
【０１４１】
使用者は、それに続いて、位置決め辺１３０に接続される切欠き部１４の第１のセグメント１４１の第１の端部を、化粧されるべき第２の目、この例では右目の目尻に配置し、その後、切欠き部１４の第１のセグメント１４１を辿って、化粧されるべき第２の目、この例では右目の目尻にアイライナーのウィングＶ’を描く。
【０１４２】
これらの提供のおかげで、目尻に、顔の正中線Ｍに対して対称的なアイライナーのウィングＶ、Ｖ’を簡単に得ることが可能であり、これらのウィングＶ、Ｖ’は、明確に定められた正確な輪郭、顔で感じが良くて魅力的な向きを有し、且つアイライナーの塗布毎に繰り返し可能である。
【０１４３】
図６に明白に示すように、使用者が、その第１又は第２の前面１１、１２によって、型紙を皮膚Ｐに押し当てると、シーリングリム１４１１、１４１２；１４２１；１４２２、及びそのそれぞれのシーリングリッジ１４１３、１４１４；１４２３；１４２４が、皮膚Ｐを局所的に変形させて、皮膚Ｐと、第１及び第２のセグメント１４１、１４２によって規定された切欠き部１４のへりとの間に良好な気密性をもたらす。これにより、切欠き部１４の受け入れ空間１４０に塗布されたアイライナーが流れ出て、皮膚Ｐと、顔に接触する型紙１の第１又は第２の前面１１、１２との間ににじんでしまうのを回避する。
【０１４４】
本発明の第１、第２及び／又は第３の態様による型紙の好都合な提供によれば、型紙１は、可塑性材料、特に熱可塑性材料、例えばポリプロピレン（ＰＰ）、ポリエチレン（ＰＥ）、ポリエチレンテレフタレート（ＰＥＴ）、アクリロニトリルブタジエンスチレン（ＡＢＳ）、ポリブチレンテレフタレート（ＰＢＴ）、ポリ塩化ビニル（ＰＶＣ）、ポリテトラフルオロエチレン（ＰＴＦＥ）で作製される。
【０１４５】
好ましくは、型紙１は、ポリシクロヘキシレンジメチレンテレフタレート（ＰＣＴＡ）で作製される。
【０１４６】
型紙が形成される可塑性材料のヤング率は、好ましくは０．５ＭＰａ〜５ＭＰａ、好ましくは０．７ＭＰａ〜３ＭＰａである。
【０１４７】
好ましくは、型紙１が形成される可塑性材料のヤング率は、好ましくは、１．３ＭＰａに近い。
【０１４８】
変形例として、本発明の第１、第２及び／又は第３の態様による型紙１は、金属材料、例えば真鍮、鋼、アルミ、銅、鉄、ザマックなどで作製される。
【０１４９】
本発明の第１、第２及び／又は第３の態様による型紙１は、可塑性材料で作製されるとき、好都合には、成形、特に射出成形によって作られる。変形例として、型紙は、可塑性材料のシートを押出し、それらシートが、互いに重ね合わせられて取り付けられ、その後、型紙１にその外側形状を与えるために切断することによって、得られてもよい。別の変形例では、三次元印刷の技術、例えば熱溶解フィラメント製法（ｆｕｓｅｄ  ｆｉｌａｍｅｎｔ  ｆａｂｒｉｃａｔｉｏｎ）、アディティブ・シンセシス（ａｄｄｉｔｉｖｅ  ｓｙｎｔｈｅｓｉｓ）、粉末焼結、又は他の技術によって、型紙を作ることを提供することが可能である。
【０１５０】
本発明の第１、第２及び／又は第３の態様による型紙１は、金属材料で作製されるとき、好都合には、例えば水ジェット切断、化学的切断（ｃｈｅｍｉｃａｌ  ｃｕｔｔｉｎｇ）、レーザ切断又はその他によって、金属シートから切断される。金属材料製の型紙に存在する鋭いリッジ又は角は、それに続く機械加工、研磨又は他の作業によって丸みがつけられ得る。
【０１５１】
第１、第２又は第３の態様による本発明はまた、化粧品の容器３を閉鎖するのに好適なキャップ２であって、長手方向軸Ｚに沿って延在する前記キャップと、前記化粧品を塗布するための付属品１であって、実質的に平面の本体１０を含む前記付属品とを含む、図７〜１０に示すアセンブリに関する。
【０１５２】
上述の通り、説明した実施形態では、本発明の第３の態様による付属品１は、化粧されるべき目尻にウィングＶ、Ｖ’を形成するためのアイライナーの塗布に好適な型紙１である。
【０１５３】
それゆえ、これら図７〜１０に示すように、型紙１は、キャップ２に固定されるしまい込み形態と、キャップ２から切り離される使用形態との間で動き得る。
【０１５４】
好都合な提供によれば、特に本発明の第３の態様に照らして、特に図７〜９において明らかであるように、キャップ２は、キャップ２の長手方向軸Ｚに対して平行に延在する受溝２００を含む。
【０１５５】
キャップ２のこの溝２００は、付属品のしまい込み形態においてレールを形成する、付属品、及びこの例では型紙１の少なくとも一部分を受け入れるのに好適であり、そのしまい込み形態を、例えば図９及び図１０Ｅに示す。
【０１５６】
さらに、図１０Ａ〜１０Ｅに示すように、本発明の第１、第２及び／又は第３の態様によるアセンブリはまた、好都合には、化粧品の容器３を含む。
【０１５７】
図示の例示的な実施形態では、この容器３は、アイライナーの貯留部である。
【０１５８】
好都合にも、これらの図１０Ａ〜１０Ｅに示すように、アイライナーの容器３は、アイライナーの貯留部３０と、特に多孔質材料及び／又は繊維性材料、例えばフェルトで作製され且つ貯留部３０と流体連通している塗布具先端３１とを含む、アイライナーペンの形態にある。それゆえ、塗布具先端３１は、アイライナーの貯留部３０から、毛管作用によってアイライナーが供給される。
【０１５９】
変形例として（図示せず）、アイライナーの容器は、ボトルの形態にあってもよく、キャップ２は、ロッドを含む、浸水塗布具に属してもよく、ロッドの一方の端部は、キャップ２に接続され、且つその対向端部は、アイライナーをいっぱい含むように、アイライナーの貯留部を形成するボトル内で浸されるのに好適な塗布具部材を備える。
【０１６０】
好都合にも、特に図７に示すように、キャップ２は、キャップ２の長手方向軸Ｚに対して平行に延在して互いに対面する２つのウィング２１、２２を含む外周面２０を有する。
【０１６１】
これら２つのウィング２１、２２は一緒に、型紙１の受溝２００を画成する。
【０１６２】
特に図７〜８から明らかになるように、受溝２００は、キャップ２の長手方向軸Ｚの方向に開放している第１の端部２０１と、第２の対向端部２０２との間に延在する。
【０１６３】
受溝２００の第２の端部２０２は、型紙１をキャップ２の長手方向軸Ｚの方向において止める停止部２０３を備える。
【０１６４】
好都合にも、型紙１のしまい込み形態においてキャップ２の受溝２００に受け入れられるのに好適なレールを形成する、付属品、この例では型紙１の部分は、位置決め辺１３０を含む。
【０１６５】
変形例として（図示せず）、横断面の形状が受溝の横断面の形状に相補的であり且つ型紙１の前面１１、１２の一方に接続されるか又はそれとワンピースにされるレールの傍らに構成されるべきレールを形成する型紙の部分を提供することが可能である。
【０１６６】
さらに、特に図１、図２、図４及び図４Ａに示すように、型紙１の本体１０、より詳細にはその前面１１、１２はそれぞれ案内溝１１０、１２０を有し、この案内溝は、位置決め辺１３０に対して平行に延在し、そこから、位置決め軸Ｘに対して垂直な方向に後退している。
【０１６７】
受溝２００、より正確には受溝２００を規定するウィング２１、２２のそれぞれは、受溝２００内に突出する１つ、この例では２つのガイドクラスター２１０、２２０を含む。ガイドクラスター２１０、２２０は、受溝２００を画成するウィング２１、２２の対面している面に延在する。
【０１６８】
それゆえ、型紙１に設けられた案内溝１１０、１２０は、キャップ２の受溝２００に設けられたガイドクラスター２１０、２２０と協働して、型紙１をそのしまい込み形態とその使用形態との間で及び逆も同様に案内し、且つ型紙１をキャップ２に対して、キャップ２の長手方向軸Ｚに対して垂直な方向にブロックする。
【０１６９】
さらに、特に図４及び図４Ａに示すように、型紙１に設けられた案内溝１１０、１２０はまた、各案内溝１１０、１２０内に突出するブロック用突起１１１、１２１を含む。
【０１７０】
特に図４Ａに示すように、ブロック用突起１１１、１２１は、型紙の第１及び第２の前面１１、１２と実質的に同一平面上にある。
【０１７１】
さらに、さらに図４Ａに関して、図示の実施形態では、案内溝１１０、１２０は、約０．０７５ｍｍの溝深さｐ、０．５５ｍｍの型紙の厚さｅ（前面１１と１２との間の距離）を有する。
【０１７２】
より一般的に、案内溝１１０、１２０の深さｐは、例えば０．０５ｍｍ〜０．１５ｍｍとし得る。
【０１７３】
好ましくは、案内溝１１０、１２０の深さｐは、例えば型紙１の第１の前面１１と第２の前面１２とを分離する距離ｅ、すなわち型紙１の厚さの、１０％〜２５％であり、特に１２．５％に近いとし得る。
【０１７４】
受溝２００、より正確には受溝２００を規定するウィング２１、２２のそれぞれは、受溝２００内に突出するブロック用スタッド２１１、２２１を有する。ブロック用スタッド２１１、２２１は、受溝２００を画成するウィング２１、２２の対面している面に延在する。
【０１７５】
それゆえ、型紙１の案内溝１１０、１２０に設けられたブロック用突起１１１、１２１は、ブロック用スタッド２１１、２２１と協働して、しまい込み形態にある型紙１をキャップ２に対して、長手方向軸Ｚに沿って、第１の開放端部２０１の側で、受溝２００の長手方向軸Ｚ方向に、ブロックする。
【０１７６】
好都合な提供によれば、キャップ２は、可塑性材料、特に熱可塑性材料、例えばポリプロピレン（ＰＰ）、ポリエチレン（ＰＥ）、ポリエチレンテレフタレート（ＰＥＴ）、アクリロニトリルブタジエンスチレン（ＡＢＳ）、ポリブチレンテレフタレート（ＰＢＴ）、ポリ塩化ビニル（ＰＶＣ）、ポリテトラフルオロエチレン（ＰＴＦＥ）で作製される。
【０１７７】
好ましくは、キャップ２は、ポリシクロヘキシレンジメチレンテレフタレート（ＰＣＴＡ）で作製される。
【０１７８】
キャップ２が形成される可塑性材料のヤング率は、好ましくは０．５ＭＰａ〜５ＭＰａ、好ましくは０．７ＭＰａ〜３ＭＰａである。
【０１７９】
好ましくは、キャップ２が形成される可塑性材料のヤング率は、好ましくは、１．３ＭＰａに近い。
【０１８０】
特に好都合な提供によれば、型紙はＰＣＴＡ製であり、及びキャップはＰＣＴＡ製である。これらの提供のおかげで、キャップに対する型紙のそのしまい込み形態とその使用形態との間の移行、及び逆も同様の移行が、好都合にも、キャップ２での型紙１のしまい込み位置における信頼性が高く且つ永続的な保持と、使用者が、キャップに対してそのしまい込み形態からその使用形態へ、及び逆も同様に型紙を簡単に動かせるようにすることとの間の妥協の問題に応える。
【０１８１】
図１０Ａ〜１０Ｅは、塗布具先端３１によって使用者の目尻に上述のようなウィングＶ、Ｖ’を描くために、使用者が型紙１を使用した後の、キャップ２に対する型紙１のその使用形態からそのしまい込み形態への一連の移行を示している。明瞭にするために、型紙１の案内溝１１０、１２０は、これらの図１０Ａ〜１０Ｅには示していない。
【０１８２】
図１０Ａに示すように、使用者は、アイライナーを塗布後、上述の通り、アイライナーの貯留部３０と、塗布具先端３１とを含む、アイライナーの容器３を有している。図示の例示的な実施形態では、アイライナーの貯留部３０及び塗布具先端３１は双方とも、長手方向軸Ｙに沿って延在する。
【０１８３】
図１０Ｂに示すように、使用者は、キャップ２の長手方向軸Ｚを容器３の長手方向軸Ｙとぴったりと合わせることによって、キャップ２を使用してアイライナーの容器３を再び閉鎖することによって、始める。
【０１８４】
公知の方法では、容器３及びキャップ２は、容器３にキャップ２を取り外し自在に保持するように協働するのに好適な追加的な固定要素を備える。そのような追加的な要素は、好都合にも、例えば、雄ねじ／雌ねじシステム又はスナップ締結システムの形態をとってもよい。
【０１８５】
その後、図１０Ｃに示すように、使用者は、型紙１をキャップ２の受溝２００の近くに持っていく。
【０１８６】
その後、使用者は、型紙１の下の角１０１を受溝２００の第１の端部２０１に通すように挿入し、且つ型紙１を、その位置決め軸Ｘが容器３及びキャップ２の長手方向軸Ｙ、Ｚに対して平行に延在するような向きにする。
【０１８７】
その後、使用者は、型紙１を、キャップの受溝２００に沿って摺動させ、キャップ２の受溝２００のガイドクラスター２１０、２２０は、下の角１０１が受溝２００の停止部２０３とぶつかるまで、型紙１の案内溝１１０、１２０と協働する。
【０１８８】
型紙１の下の角１０１が受溝２００の停止部２０３に当接するのに付随して、キャップ２の受溝２００のブロック用スタッド２１１、２２１は、型紙１の案内溝１１０、１２０に設けられたブロック用突起１１１、１２１を通過して、型紙１を、キャップ２に対して、キャップ２の長手方向軸Ｚに沿って、長手方向軸Ｚの方向に開口している受溝２００の第１の端部２０１の側で、静止させるようにする。
【０１８９】
キャップ２の長手方向軸Ｚに対して平行に、単純に平行移動させることによる、型紙１のその使用形態からキャップ２でのそのしまい込み形態へのそのような移行は、特に型紙１の全体的に扁平な三角形に起因して、使用者にとって特に直感的であり、簡単で楽しい。
【０１９０】
しかしながら、変形例として、図１０Ｄに示すように、型紙１をキャップ２にしまい込むために使用者により自由を与えるために、型紙１のその使用形態からキャップ２でのそのしまい込み形態への移行はまた、キャップ２の長手方向軸Ｚに対して平行な平行移動と、受溝２００を画成するウィング２１、２２に対して垂直な軸の周りでの回転とを組みわせた動きによって、実施され得、ガイドクラスター２１０、２２０と受溝２００のブロック用スタッド２１１、２１２とのシステムが、平行移動の動き又は平行移動／回転を組み合わせた動きによって、受溝２００での型紙１の案内溝１１０、１２０のスナップ締結を可能にし、この動きは、受溝２００を画成するウィング２１、２２に対して平行な向きにされた成分を含む。
【符号の説明】
【０１９１】
１  型紙
２  キャップ
３  容器
１０  本体
１１  前面
１２  前面
２０  外周面
２１  ウィング
２２  ウィング
３０  貯留部
３１  塗布具先端
１０１  角
１０２  角
１０３  角
１１１  ブロック用突起
１２１  ブロック用突起
１３１  辺
１３２  辺
２００  受溝
２０１  第１の端部
２０２  第２の端部
２０３  停止部
２１０  ガイドクラスター
２１１  ブロック用スタッド
２１２  ブロック用スタッド
２２０  ガイドクラスター
２２１  ブロック用スタッド
１４１１  シーリングリム
１４１２  シーリングリム
１４１３  シーリングリッジ
１４１４  シーリングリッジ
１４２１  シーリングリム
１４２２  シーリングリム
１４２３  シーリングリッジ
１４２４  シーリングリッジ
【図１】
2021527540.tif 000003
【図２】
2021527540.tif 000004
【図３】
2021527540.tif 000005
【図３Ａ】
2021527540.tif 000006
【図４】
2021527540.tif 000007
【図４Ａ】
2021527540.tif 000008
【図５Ａ】
2021527540.tif 000009
【図５Ｂ】
2021527540.tif 000010
【図５Ｂ−１】
2021527540.tif 000011
【図５Ｃ】
2021527540.tif 000012
【図５Ｄ】
2021527540.tif 000013
【図５Ｅ】
2021527540.tif 000014
【図６】
2021527540.tif 000015
【図７】
2021527540.tif 000016
【図８】
2021527540.tif 000017
【図９】
2021527540.tif 000018
【図１０Ａ】
2021527540.tif 000019
【図１０Ｂ】
2021527540.tif 000020
【図１０Ｃ】
2021527540.tif 000021
【図１０Ｄ】
2021527540.tif 000022
【図１０Ｅ】
2021527540.tif 000023
【国際調査報告】
2021527540.tif 000024
2021527540.tif 000025
2021527540.tif 000026